(57)【要約】      （修正有）【課題】構造簡単、組み立て容易、低コストな取紙機構の提供。【解決手段】スキャナー、コピー機、或いはファックスマシーンなどの事務装置中に応用され、サポートフレーム、ローラーフレーム、取紙ローラー、分紙ローラー、ベルトを含む。該ローラーフレームは該サポートフレーム上に可動接続し、該取紙ローラーと該分紙ローラーは該ローラーフレーム上に可動接続する。該ベルトは該取紙ローラーと該分紙ローラー上に緊密に嵌設し、これにより該取紙ローラーと該分紙ローラーは相互に対応し、該ローラーフレームを圧迫する。取紙機構はベルトによって取紙ローラーの回転動を連動し、これにより該取紙ローラーと該分紙ローラーは該ローラーフレームを対応圧迫し、摩擦力を生じ、該ローラーフレームは回転動し、取紙動作を完成させる。本考案の取紙機構は構造が簡単で、組立てが容易で、製造コストが低い。【選択図】図５
0003130816.tif 000002
【実用新案登録請求の範囲】
【請求項１】
サポートフレーム、ローラーフレーム、取紙ローラー、分紙ローラーを含み、該ローラーフレームは該サポートフレーム上に可動接続し、該取紙ローラーと該分紙ローラーは該ローラーフレーム上に可動接続し、
該取紙ローラーと該分紙ローラー上には該取紙ローラーと該分紙ローラーに対応させ該ローラーフレームを圧迫させるベルトを嵌設することを特徴とする取紙機構。
【請求項２】
前記ローラーフレームは第一側壁と第二側壁を備え、該第一側壁には主動軸孔を開設し、該第二側壁は該主動軸孔に対応し位置限定部を突出設置し、該分紙ローラーは該主動軸上に固設氏、該主導軸一端は該主動軸孔中に可動接続し、該分紙ローラー一端は該位置限定部内に可動接続することを特徴とする請求項１記載の取紙機構。
【請求項３】
前記サポートフレーム上には可動接続部を突出設置し、該ローラーフレームは該可動接続部上に可動接続することを特徴とする請求項２記載の取紙機構。
【請求項４】
前記サポートフレーム上には相互に平行で板状を呈する一対の長板を設置し、該２個の長板間には収容空間を形成し、該可動接続部は相互に対応する長板上にそれぞれ突出設置し、該ローラーフレームは該収容空間内に設置することを特徴とする請求項３記載の取紙機構。
【請求項５】
前記第一側壁には受動軸孔を開設し、該第二側壁は該受動軸孔に対応し内部に向かい嵌接部を突出設置し、該取紙ローラーは該受動軸上に固設し、該受動軸一端は該受動軸孔内に可動接続し、該取紙ローラー一端は該嵌接部上に嵌接することを特徴とする請求項２記載の取紙機構。
【請求項６】
前記第一側壁の後端は該第二側壁方向に向かい延伸し対応接続壁を形成し、該対応接続壁上には対応接続孔を開設し、該第二側壁は該第一側壁の対応接続孔に対応し、挿接孔を開設し、該取紙機構は該対応接続孔と該挿接孔内に固定する連接部品を含むことを特徴とする請求項２記載の取紙機構。
【考案の詳細な説明】
【技術分野】
【０００１】
本考案は一種の取紙機構に関する。特に一種のスキャナー、コピー機、或いはファックスマシーンなどの事務装置中に応用される取紙機構に係る。
【背景技術】
【０００２】
現代オフィス事務の日常作業において、スキャナー、コピー機、或いはファックスマシーンなどの各種影像処理設備は欠くべからざる事務装置となっている。該事務装置は取紙機構を備え、紙を事務装置中に取り込み処理を行う。
【０００３】
公知の取紙機構１’の作動概略図である図１、図２に示すように、該取紙機構１’は頂壁２’と底台３’の間に設置し、該取紙機構１’は分紙ローラー１０’、 進紙ローラー３０’、 サポート部４０’、バネ５０’を備える。紙４’を該進紙ローラー３０’下方に置くと、該サポート部４０’は該分紙回転軸１２’と該進紙回転軸３２’に連接する。
該分紙ローラー１０’の一端には分紙ギア１４’を固設する。該進紙ローラー３０’は同一端に進紙ギア３４’を固設し、該分紙ギア１４’と該進紙ギア３４’の間にはプーリーギア２４’を設置する。該プーリーギア２４’は該固定軸２２’上に可動接続し、それぞれ該分紙ギア１４’及び該進紙ギア３４’と噛み合う。該バネ５０’は該サポート部４０’と該プーリーギア２４’の間に連接する。
【０００４】
図２に示すように、該分紙ローラー１０’が外力を受け時計回りに回転すると、該プーリーギア２４’において該分紙ギア１４’及び該進紙ギア３４’とそれぞれ噛み合い、こうして該進紙ローラー３０’は時計回りに回転する。この時、該バネ５０’と該サポート部４０’間の摩擦力により、該サポート部４０’と該進紙ローラー３０’は該分紙回転軸１２’を軸心とし下方へと回転し、該紙４’に圧迫接続し、該進紙ローラー３０’の時計回りの回転により、該紙４’は該取紙機構１’中に取り入れられる。
【０００５】
反対に、該分紙回転軸１２’が外力を受け逆時計回りに回転すると、該バネ５０’と該サポート部４０’間の摩擦力により、該サポート部４０’、該進紙ローラー３０’は該分紙回転軸１２’を軸心とし上方へと回転し、該進紙ローラー３０’は該紙４’から離れる。最後に該分紙回転軸１２’は回転を停止し、該取紙機構１’は図１に示す状態を回復する。
【０００６】
しかし、上記公知の取紙機構１’では、該分紙ローラー１０’上に固定する分紙ギア１４’、該進紙ローラー３０’上に固定する進紙ギア３４’が、該分紙ギア１４’及び該進紙ギア３４’と噛み合う該プーリーギア２４’及び該サポート部４０’と該プーリーギア２４’間のバネ５０’と対応し取紙動作を完成する。よって該公知取紙機構１’の部品数量は過度に多く、構造が複雑かつ組立てが困難で、製造コストが高い。
【考案の開示】
【考案が解決しようとする課題】
【０００７】
上記課題を解決するため、本考案は下記の取紙機構を提供し、それはサポートフレーム、ローラーフレーム、取紙ローラー、分紙ローラー、ベルトを含み、該ローラーフレームは該サポートフレーム上に可動接続し、該取紙ローラーと該分紙ローラーは該ローラーフレーム上に可動接続し、該ベルトは該取紙ローラーと該分紙ローラー上に緊密に嵌設し、これにより該取紙ローラーと該分紙ローラーは対応して該ローラーフレームを圧迫する。
【０００８】
すなわち、本考案取紙機構は該取紙ローラーと該分紙ローラーに嵌設されるベルトによって、該取紙ローラーと該分紙ローラーは該ローラーフレームを対応圧迫し、こうして該分紙ローラーが回転動すると、該取紙ローラーと該分紙ローラーは該ローラーフレームを対応圧迫し、摩擦力を生じ、該ローラーフレームは回転動し、取紙動作を完成させ、構造が簡単で、組立てが容易で、製造コストが低い取紙機構を提供する。
【課題を解決するための手段】
【０００９】
請求項１の考案は、サポートフレーム、ローラーフレーム、取紙ローラー、分紙ローラーを含み、該ローラーフレームは該サポートフレーム上に可動接続し、該取紙ローラーと該分紙ローラーは該ローラーフレーム上に可動接続し、
該取紙ローラーと該分紙ローラー上には該取紙ローラーと該分紙ローラーに対応させ該ローラーフレームを圧迫させるベルトを嵌設することを特徴とする取紙機構としている。
請求項２の考案は、前記ローラーフレームは第一側壁と第二側壁を備え、該第一側壁には主動軸孔を開設し、該第二側壁は該主動軸孔に対応し位置限定部を突出設置し、該分紙ローラーは該主動軸上に固設氏、該主導軸一端は該主動軸孔中に可動接続し、該分紙ローラー一端は該位置限定部内に可動接続することを特徴とする請求項１記載の取紙機構としている。
請求項３の考案は、前記サポートフレーム上には可動接続部を突出設置し、該ローラーフレームは該可動接続部上に可動接続することを特徴とする請求項２記載の取紙機構としている。
請求項４の考案は、前記サポートフレーム上には相互に平行で板状を呈する一対の長板を設置し、該２個の長板間には収容空間を形成し、該可動接続部は相互に対応する長板上にそれぞれ突出設置し、該ローラーフレームは該収容空間内に設置することを特徴とする請求項３記載の取紙機構としている。
請求項５の考案は、前記第一側壁には受動軸孔を開設し、該第二側壁は該受動軸孔に対応し内部に向かい嵌接部を突出設置し、該取紙ローラーは該受動軸上に固設し、該受動軸一端は該受動軸孔内に可動接続し、該取紙ローラー一端は該嵌接部上に嵌接することを特徴とする請求項２記載の取紙機構としている。
請求項６の考案は、前記第一側壁の後端は該第二側壁方向に向かい延伸し対応接続壁を形成し、該対応接続壁上には対応接続孔を開設し、該第二側壁は該第一側壁の対応接続孔に対応し、挿接孔を開設し、該取紙機構は該対応接続孔と該挿接孔内に固定する連接部品を含むことを特徴とする請求項２記載の取紙機構としている。
【考案の効果】
【００１０】
本考案の取紙機構は構造が簡単で、組立てが容易で、製造コストが低い。
【考案を実施するための最良の形態】
【００１１】
図３に示すように、本考案取紙機構１はサポートフレーム１０、取紙ローラー２０、分紙ローラー３０、ローラーフレーム４０、底台５０、紙ガード装置６０を含む。
【００１２】
該サポートフレーム１０と該底台５０は一定の距離を開けて設置され、該サポートフレーム１０と該底台５０間には紙伝送通路５２を形成する（図７参照）。該サポートフレーム１０内側には相互に平行で板状を呈する長板１５を突出設置し、該長板１５間には収容空間１４を形成する。該長板１５上には固持部１１を固定し、該固持部１１は２個の固持板１１２を備え、該各固持板１１２上には固持孔１１１を開設する。該２個の固持板１１２の間には板状を呈する位置限定ブロック１１３を固定する。該固持部１１の下方、該長板１５上において、一対の可動接続部１３を対応し突出設置する。
【００１３】
次に図４、図５に示すように、該ローラーフレーム４０は第一側壁４１、第二側壁４２、主動軸４３、受動軸４４を備える。該第一側壁４１は主動軸孔４１１と受動軸孔４１２を開設し、該第一側壁４１の後端は該第二側壁４２方向に向かい延伸し対応接続壁４６を形成する。該対応接続壁４６上には２個の対応接続孔４６１を開設する（１個の対応接続孔は図示なし）。該第二側壁４２は該第一側壁４１の主動軸孔４１１に対応し主動軸可動接続孔４２１を開設する。該主動軸可動接続孔４２１位置において、該第二側壁４２は上方に向かいおよそ環状を呈する位置限定部４２５を内部へと突出設置し、対応接続筒４２６を外部へと突出設置する。該第二側壁４２は該受動軸孔４１２に対応し、内側に向かい嵌接部４２２を突出設置し、該第一側壁４１の２個の対応接続孔４６１に対応し、２個の挿接孔４２３を開設する。該主動軸４３の一端は該主動軸孔４１１内に可動接続する。該受動軸４４の一端は該受動軸孔４１２内に可動接続する。
【００１４】
該分紙ローラー３０は該主動軸４３上に固定し、しかも該取紙ローラー３０の一端は該位置限定部４２５内に挿入される。該取紙ローラー２０は該受動軸４４上に固定され、しかも該取紙ローラー２０の一端は該嵌接部４２２上に嵌設される。該ベルト２１は該取紙ローラー２０と該分紙ローラー３０上に緊密に嵌設され、該ベルト２１の張力により、該取紙ローラー２０と該分紙ローラー３０は該ローラーフレーム４０に対応し圧迫する。該分紙ローラー３０が回転すると、該分紙ローラー３０と該位置限定部４２５の間、及び該取紙ローラー２０と該嵌接部４２２の間には、該ローラーフレーム４０を該主動軸４３周囲で回転させる摩擦力が発生する。
【００１５】
さらに図３、図６に示すように、該紙ガード装置６０は紙ガード部品６１、抵触接続ブロック６２を含む。該紙ガード部品６１は連接部６１１を備え、該連接部６１１の対応する両側のおよそ中央部は、それぞれ定位軸６１２を外部に向かい突出する。該連接部６１１の前端は上方に向かい延伸し、位置限定アーム６１３を形成する。該位置限定アーム６１３は該サポートフレーム１０の位置限定ブロック１１３上に接触固定する。該連接部６１１の後端は下方に向かい延伸し紙ガードアーム６１４を形成し、該紙ガードアーム６１４の右下端は一部分をカットし方形の欠口６１５を形成する。
該抵触接続ブロック６２は円柱状で、該抵触接続ブロック６２は該ローラーフレーム４０の第一側壁４１上に固定する（図４参照）。
【００１６】
本考案の取紙機構１の組み立て過程は以下の通りである。図４、図５に示すように、先ず該ベルト２１を該取紙ローラー２０と該分紙ローラー３０上に同時に嵌設する。さらに該分紙ローラー３０上に固定する主動軸４３の一端を該ローラーフレーム４０の第一側壁４１の主動軸孔４１１内に挿入設置し、該分紙ローラー３０右端を該第二側壁４２の位置限定部４２５内に挿入する。該取紙ローラー２０上に固定する受動軸４４の一端を該ローラーフレーム４０の第一側壁４１の受動軸孔４２１内に挿入設置し、該取紙ローラー２０右端は該第二側壁４２の嵌接部４２２外側に嵌設する。続いて、連接部品とする２個のネジ４５をそれぞれ該挿接孔４２３と相互に対応する対応接続孔４６１中に固定し、こうして該第二側壁４２と該第一側壁４１は一緒に固定される。
【００１７】
次に図３、図７に示すように、該ローラーフレーム４０を該サポートフレーム１０の収容空間１４内に設置し、該主動軸４３左端と該対応接続筒４２６を該サポートフレーム１０の２個の可動接続部１３上に嵌設する。図６に合わせて示すように、該紙ガード装置６０は該ローラーフレーム４０の第一側壁４１に近い位置に設置し、しかも該紙ガード装置６０の２個の定位軸６１２は該サポートフレーム１０の２個の固持孔１１１中にそれぞれ可動接続するため、こうして該紙ガード部品６１は該定位軸６１２を巡り回転動することができる。該抵触接続ブロック６２は該紙ガード部品６１の紙ガードアーム６１４の上端に抵触接続する。最後に該サポートフレーム１０を該底台５０上に蓋合し、本考案取紙機能１の組立てを完成する。
【００１８】
図７に示すように、該底台５０は前端においてキャリア台５１を形成し、外部の紙２を積載する。該キャリア台５１は後方へと延伸し、該サポートフレーム１０と対応し紙伝送通路５２を形成する。該取紙機構１が取紙していない時には、該取紙ローラー２０は紙２と一定距離を隔て紙２の上方に位置する。該紙２は該キャリア台５１上に置く。該紙ガード部品６１は自然に垂直状態を呈し、該位置限定アーム６１３は該位置限定ブロック１１３により接触固定され、逆時計回りの回転を行うことはできない。該紙ガードアーム６１４の上端は該抵触接続ブロック６２により接触固定され、逆時計回りの回転を行うことはできないため、該紙ガードアーム６１４は該紙２が該紙伝送通路５２内に入ることを防ぐ。
【００１９】
続いて図８、図９に示すように、該取紙機構１が進紙信号を探知すると、外力が該主動軸４３を駆動し時計回りに回転させ、該分紙ローラー３０もまた時計回りに回転する。該分紙ローラー３０と該取紙ローラー２０上に緊密に嵌設するベルト２１は該取紙ローラーを連動し時計回りに回転させる。該分紙ローラー３０と該取紙ローラー２０は共に、内側に向かい該ローラーフレーム４０を圧迫するため、該分紙ローラー３０と該位置限定部４２５の間及び該取紙ローラー２０と該嵌接部４２２の間には摩擦力が発生する。これにより該ローラーフレーム４０は該主動軸４３を巡り下方へと回転動させ、該取紙ローラー２０は紙２を圧迫接続する。同時に、該ローラーフレーム４０は下方へと回転動するため、該第一側壁４１上に設置する抵触接続ブロック６２もまたこれに従い下方へと移動し、該紙ガード部品６１の欠口６１５位置まで移動する。この時、該ベルト２１は紙２を圧迫接続し時計回りに回転するため、該ベルト２１と該紙２間の摩擦力は、該紙２を該紙伝送通路５２へと押し、紙２は該紙ガードアーム６１４を押し該定位軸６１２を巡り、時計回りに該紙２が該紙ガードアーム６１４の底端に至るまで回転動し、該分紙ローラー３０は該紙２を該紙伝送通路５２内に押し入れる。該紙ガードアーム６１４の回転動の過程において、該抵触接続ブロック６２は該紙ガード部品６１左側から該欠口６１５を通過し、該紙ガードアーム６１４の前方に位置する。
【００２０】
該取紙機構１が取紙を停止すると、外力は該主動軸４３を駆動し逆時計回りの回転を行わせ、該分紙ローラー３０は逆時計回りに回転し、しかも該取紙ローラー２０は該ベルト２１の連動により、逆時計回りに回転する。この時、該分紙ローラー３０と該位置限定部４２５間及び該取紙ローラー２０と該嵌接部４２２間に生じた摩擦力は、該ローラーフレーム４０を連動し、該主動軸４３を巡り逆時計回りに上方へと回転動させ、こうして該取紙ローラー２０と該紙２は分離する。該紙ガードアーム６１４は自身の重力の作用で、該定位軸６１２を巡り逆時計回りに回転動し、該抵触接続ブロック６２は該紙ガードアーム６１４の右側から該欠口６１５を通過し、しかも該ローラーフレーム４０において上方へと一定の位置まで回転動すると、該抵触接続ブロック６２は該紙ガードアーム６０  紙ガード装置６１４の上端において抵触固定する。該位置限定アーム６１３は該サポートフレーム１０の位置限定ブロック１１３を押さえる。この時、該紙ガード部品６１は自然に垂直状態を呈し、該紙ガードアーム６１４は該紙２の該紙伝送通路５２への進入を阻害する（図７参照）。
【００２１】
上記のように、本考案取紙機構１は取紙ローラー２０と分紙ローラー３０上に緊密に嵌設するベルト２１により、該取紙ローラー２０と分紙ローラー３０は対応し該ローラーフレーム４０を圧迫するため、該分紙ローラー３０が回転動する時、該分紙ローラー３０と該位置限定部４２５間及び該取紙ローラー２０と該嵌接部４２２間は摩擦力を生じ、該ローラーフレーム４０は該主動軸４３を巡り回転動し、取紙動作を完成する。
こうして、公知技術と比較すると、本考案取紙機構１の構造は簡単で、組立てが容易で、製造コストが低い。
【００２２】
上記は本考案の実施例に過ぎず、本考案を限定するものではない。ベルトの内表面に歯形を設置し（歯形ベルト）、取紙ローラーと分紙ローラーの外表面にはギアを対応し、設置し、ベルトの歯形と噛み合わせるなど、本考案には各種の変動や潤色を加えることができ、こうして分紙ローラーの回転動はベルト及び取紙ローラーの回転動を連動することができる。
【図面の簡単な説明】
【００２３】
【図１】公知の取紙機構の作動概略図である。
【図２】公知の取紙機構の作動概略図である。
【図３】本考案取紙機構の立体分解図である。
【図４】本考案取紙機構のローラーとベルトをローラーフレーム上に組立てる様子の立体図である。
【図５】本考案取紙機構のローラーフレーム、ローラーとベルトが一緒に組立てられる前の様子の立体分解図にである。
【図６】本考案取紙機構の紙ガード部品の立体図である。
【図７】本考案取紙機構の取紙作動過程の概略図である。
【図８】本考案取紙機構の取紙作動過程の概略図である。
【図９】本考案取紙機構の取紙作動過程の概略図である。
【符号の説明】
【００２４】
１  取紙機構
１０  サポートフレーム
１１  固持部
１１１  固持孔
１１２  固持板
１１３  位置限定ブロック
１３  可動接続部
１４  収容空間
１５  長板
２０  取紙ローラー
２１  ベルト
３０  分紙ローラー
４０  ローラーフレーム
４１  第一側壁
４１１  主動軸孔
４１２  受動軸孔
４２  第二側壁
４２１  主動軸孔可動接続孔
４２２  嵌接部
４２３  挿接孔
４２５  位置限定部
４２６  対応接続筒
４３  主動軸
４４  受動軸
４５  ネジ
４６  対応接続壁
４６１  対応接続孔
５０  底台
５１  キャリア台
５２  紙伝送通路
６０  紙ガード装置
６１  紙ガード部品
６１１  連接部
６１２  定位軸
６１３  位置限定アーム
６１４  紙ガードアーム
６１５  欠口
６２  抵触接続ブロック
２  紙
１’  取紙機構
１０’  分紙ローラー
１２’  分紙回転軸
１４’  分紙ギア
２２’  固定軸
２４’  プーリーギア
３０’  進紙ローラー
３２’  進紙回転軸
３４’  進紙ギア
４０’  サポート部
５０’  バネ
２’  頂壁
３’  底台
４’  紙
【図１】
0003130816.tif 000003
【図２】
0003130816.tif 000004
【図３】
0003130816.tif 000005
【図４】
0003130816.tif 000006
【図５】
0003130816.tif 000007
【図６】
0003130816.tif 000008
【図７】
0003130816.tif 000009
【図８】
0003130816.tif 000010
【図９】
0003130816.tif 000011